【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
宝飾具において、
それぞれパビリオンと、ガードルと、クラウンとを有する第１、第２及び第３の宝石と、
前記第１、前記第２及び前記第３の宝石を前記宝飾具内にそれぞれ保持するための第１、第２及び第３のセッティング手段とを備え、前記第３の宝石は前記第１及び前記第２の宝石間にあり、
前記第１及び第２のセッティング手段は、前記第１及び前記第２の宝石の前記クラウンの部分に重なるが、前記第３の宝石の前記クラウンのいずれの部分にも重ならず、
前記第３の宝石は、前記第１及び前記第２の宝石の前記パビリオンの間に保持され、前記第１及び第２のセッティング手段は、前記第１及び前記第２の宝石を保持するために前記第１及び前記第２の宝石間のウェッジを構成することを特徴とする宝飾具。
【請求項２】
前記第１及び前記第２の宝石の前記パビリオンは、前記第３の宝石の前記クラウンと接触することを特徴とする請求項１記載の宝飾具。
【請求項３】
前記ウェッジは、幅と、上端と、下端とを有し、前記幅は、前記上端よりも前記下端近傍の方が狭いことを特徴とする請求項１記載の宝飾具。
【請求項４】
前記第１及び前記第２のセッティング手段は、チャンネル壁と溝とプロングとから構成されるグループから選択されることを特徴とする請求項１記載の宝飾具。
【請求項５】
前記第１及び前記第２のセッティング手段は、前記第１及び前記第２のセッティング手段における前記第１及び前記第２の宝石を保持するように形づくられたチャンネル壁をさらに備えることを特徴とする請求項１記載の宝飾具。
【請求項６】
前記第１、前記第２及び前記第３のセッティング手段は、前記第１、前記第２及び前記第３の宝石の前記パビリオンとそれぞれ実質的に同じ大きさである第１、第２及び第３のキャビティを有する台座をさらに備え、前記第１、前記第２及び前記第３の宝石の前記パビリオンは、前記第１、前記第２及び前記第３のキャビティ内にそれぞれ置かれることを特徴とする請求項１記載の宝飾具。
【請求項７】
前記第１、前記第２及び前記第３のキャビティは、前記第３の宝石のガードルが前記第１及び前記第２の宝石のガードルよりも下方にあるようにして、前記第１、前記第２及び前記第３の宝石を保持するように形づくられていることを特徴とする請求項２記載の宝飾具。
【請求項８】
宝飾具において、
それぞれクラウンと、ガードルと、パビリオンとを有する第１及び第２の固定用宝石と、
クラウンを有する接触宝石と、
前記宝飾具における前記固定用宝石及び前記接触宝石を保持するセッティング手段とを備え、前記セッティング手段は、前記第１及び前記第２の固定用宝石を所要の箇所に保持し、前記接触宝石は、前記第１及び前記第２の固定用宝石の前記パビリオンによって前記セッティング手段の内部に単独で、また、前記接触宝石の前記クラウンのいずれの部分とも重なる前記セッティング手段の外部に、更に、前記第１及び前記第２の固定用宝石の前記クラウンのいずれかと接触する前記接触宝石の外部に保持されることを特徴とする宝飾具。
【請求項９】
前記セッティング手段は、前記セッティング手段内に前記第１及び前記第２の固定用宝石を保持できるように形づくられたチャンネル壁を更に有し、前記チャンネル壁は、前記第１又は前記第２の固定用宝石のいずれかと前記接触宝石の間に延びるものではないことを特徴とする請求項８記載の宝飾具。
【請求項１０】
追加の固定用宝石及び追加の接触宝石を更に有し、前記第１及び前記第２の固定用宝石と前記追加の固定用宝石は、固定用宝石の第１及び第２の列に配置され、前記接触宝石と前記追加の接触宝石は、前記固定用宝石の前記第１及び前記第２の列によって前記セッティング手段に保持された接触宝石の１列に配置されることを特徴とする請求項８記載の宝飾具。
【請求項１１】
前記セッティング手段は、チャンネル壁と溝とプロングとから構成されるグループから選択されることを特徴とする請求項８記載の宝飾具。
【請求項１２】
前記接触宝石は、ガードルとパビリオンとを更に有し、前記接触宝石の前記クラウンは、前記第１及び前記第２の固定用宝石の前記パビリオンと接触することを特徴とする請求項８記載の宝飾具。
【請求項１３】
前記セッティング手段は、前記第１及び前記第２の固定用宝石と前記接触宝石の前記パビリオンとそれぞれ実質的に同じ大きさである第１、第２及び第３のキャビティを有する台座を更に有し、前記第１及び前記第２の固定用宝石と前記接触宝石の前記パビリオンは、前記第１、前記第２及び前記第３のキャビティ内にそれぞれ置かれることを特徴とする請求項１２記載の宝飾具。
【請求項１４】
前記第１、前記第２及び前記第３のキャビティは、前記接触宝石のガードルが前記第１及び前記第２の固定用宝石のガードルよりも下方にあるようにして、前記第１及び前記第２の固定用宝石と前記接触宝石を保持するように形づくられていることを特徴とする請求項１３記載の宝飾具。
【請求項１５】
宝飾具において、
第１及び第２の固定用宝石と、
クラウンを有する接触宝石と、
前記宝飾具における前記固定用宝石及び前記接触宝石を保持するセッティング手段とを備え、前記セッティング手段は、前記第１及び前記第２の固定用宝石を所要箇所に保持し、前記接触宝石は、前記第１及び前記第２の固定用宝石によって前記セッティング手段の内部に、また、前記接触宝石の前記クラウンのいずれの部分とも重なる前記セッティング手段の外部に保持され、前記セッティング手段は、前記セッティング手段内に前記第１及び前記第２の固定用宝石を保持できるように形づくられたチャンネル壁を更に有し、前記チャンネル壁は、前記第１又は前記第２の固定用宝石のいずれかと前記接触宝石の間に延びるものではなく、前記チャンネル壁は、前記セッティング手段内に前記第１及び前記第２の固定用宝石を一層堅く保持するために前記第１及び前記第２の固定用宝石の間にウェッジを更に有し、前記ウェッジは、幅と、上端と、下端とを有し、前記幅は、前記上端よりも前記下端近傍の方が狭いことを特徴とする宝飾具。
【請求項１６】
宝飾具において、
それぞれパビリオンと、ガードルと、クラウンとを有する第１、第２及び第３の宝石と、
前記第１、前記第２及び前記第３の宝石を前記宝飾具内にそれぞれ保持するためのセッティング手段とを備え、前記第３の宝石は前記第１及び前記第２の宝石間にあり、
前記セッティング手段は、前記第１及び前記第２の宝石の前記クラウンの部分に重なるが、前記第３の宝石の前記クラウンのいずれの部分にも重ならず、
前記第３の宝石は、前記第１及び前記第２の宝石の前記パビリオンの間に単独で保持され、前記セッティング手段は、前記第１及び前記第２の宝石を保持するために前記第１及び前記第２の宝石間のウェッジを構成することを特徴とする宝飾具。
【請求項１７】
前記第１及び前記第２の宝石の前記パビリオンは、前記第３の宝石の前記クラウンと接触することを特徴とする請求項１６記載の宝飾具。
【請求項１８】
前記セッティングは、チャンネル壁と溝とプロングとから構成されるグループから選択されることを特徴とする請求項１６記載の宝飾具。
【請求項１９】
前記セッティング手段は、前記第１、前記第２及び前記第３の宝石の前記パビリオンとそれぞれ実質的に同じ大きさである第１、第２及び第３のキャビティを有する台座を更に備え、前記第１、前記第２及び前記第３の宝石の前記パビリオンは、前記第１、前記第２及び前記第３のキャビティ内にそれぞれ置かれることを特徴とする請求項１６記載の宝飾具。
【請求項２０】
前記第１、前記第２及び前記第３のキャビティは、前記第３の宝石のガードルが前記第１及び前記第２の宝石のガードルよりも下方にあるようにして、前記第１、前記第２及び前記第３の宝石を保持するように形づくられていることを特徴とする請求項１９記載の宝飾具。
【請求項２１】
宝飾具において、
それぞれパビリオンと、ガードルと、クラウンとを有する第１、第２及び第３の宝石と、
前記第１、前記第２及び前記第３の宝石を前記宝飾具内にそれぞれ保持するためのセッティング手段とを備え、前記第３の宝石は前記第１及び前記第２の宝石間にあり、
前記セッティング手段は、前記第１及び前記第２の宝石の前記クラウンの部分に重なるが、前記第３の宝石の前記クラウンのいずれの部分にも重ならず、
前記第３の宝石は、前記第１及び前記第２の宝石の前記パビリオンの間に保持され、前記セッティング手段は、前記第１及び前記第２の宝石を保持するために前記第１及び前記第２の宝石間のウェッジを構成することを特徴とする宝飾具。
【請求項２２】
宝飾具において、
１つのセッティング手段と、
前記セッティング手段内に係合した１つの固定用宝石と、
前記セッティング手段及び前記固定用宝石によって単独に係合した接触宝石とから構成されることを特徴とする宝飾具。
【請求項２３】
前記セッティング手段は、チャンネル壁と溝とプロングとから構成されるグループから選択されることを特徴とする請求項２２記載の宝飾具。
【請求項２４】
前記セッティング手段は、ウェッジ形状であることを特徴とする請求項２２記載の宝飾具。
【請求項２５】
前記接触宝石は、前記セッティング手段と前記固定用宝石との間に位置することを特徴とする請求項２４記載の宝飾具。
【請求項２６】
前記接触宝石は、前記セッティング手段と前記固定用宝石との間に位置することを特徴とする請求項２２記載の宝飾具。
【請求項２７】
前記セッティング手段はチャンネル壁であることを特徴とする請求項２６記載の宝飾具。
【請求項２８】
宝飾具において、
それぞれパビリオンと、ガードルと、クラウンとを有する第１、第２及び第３の宝石と、
前記宝飾具内における前記第１、前記第２及び前記第３の宝石を保持するためにキャビティを有するセッティング手段とを備え、前記第３の宝石は前記第１及び前記第２の宝石間にあり、
前記セッティング手段は、前記第１及び前記第２の宝石の前記クラウンの部分に重なるが、前記第３の宝石の前記クラウンのいずれの部分にも重ならず、
前記第３の宝石は、前記第１及び前記第２の宝石の前記パビリオンの間に単独で保持され、前記第１及び前記第２のセッティング手段は、前記第１及び前記第２の宝石を保持するために前記第１及び前記第２の宝石間にウェッジを構成することを特徴とする宝飾具。
【請求項２９】
前記第１及び前記第２の宝石の前記パビリオンが、前記第３の宝石の前記クラウンに接触することを特徴とする請求項２８記載の宝飾具。
【請求項３０】
前記キャビティは、前記第１、前記第２及び第３の宝石の前記パビリオンと実質的に同じ大きさであり、前記第１、前記第２及び第３の宝石の前記パビリオンは、前記キャビティ内に置かれることを特徴とする請求項２８記載の宝飾具。
【請求項３１】
前記第３の宝石のガードルは、前記第１及び前記第２の宝石のガードルの下方にあることを特徴とする請求項３０記載の宝飾具。
【請求項３２】
前記セッティング手段は、前記第１および前記第２の宝石を前記キャビティ内に保持するように形づくられたチャンネル壁を更に備えることを特徴とする請求項２８記載の宝飾具。
【請求項３３】
前記チャンネル壁は、前記第１および前記第２の宝石を前記セッティング手段内に保持するために前記第１及び前記第２の宝石の間に設けたウェッジを更に備えることを特徴とする請求項３２記載の宝飾具。
【請求項３４】
前記ウェッジは、幅と、上端と、下端とを有し、前記幅は、前記上端よりも前記下端近傍の方が狭いことを特徴とする請求項３３記載の宝飾具。
【手続補正２】
【補正対象書類名】明細書
【補正対象項目名】００２５
【補正方法】変更
【補正の内容】
【００２５】
図３に示されるように、接触宝石２２は、固定用宝石２０のわずか下方にセットされるように形づくられている。上述したように、接触宝石２２のガードル１６の一方側４１は、セッティング手段２４のチャンネル壁２８内の溝３６によって所定の位置に保持される。接触宝石２２の反対側３９は、固定用宝石２０によって所定の位置に保持される。


【手続補正３】
【補正対象書類名】明細書
【補正対象項目名】００３４
【補正方法】変更
【補正の内容】
【００３４】
チャンネル壁１２８は、宝飾具１１８の所定の位置に固定用宝石１２０の列を保持するように形づくられている。チャンネル壁１２８は、各固定用宝石１２０のガードル１６と係合する溝１３６を有している。


【手続補正４】
【補正対象書類名】図面
【補正対象項目名】図５
【補正方法】変更
【補正の内容】
【図５】
2003506177.tif 000001